【事件の表示】
　平成２年特許願第２７４０５４号「画像形成装置」拒絶査定に対する審判事件（平成４年５月２２日出願公開、特開平４−１４９５７４）について、次のとおり審決する。
【結論】
　本件審判の請求は、成り立たない。
【理由】
１．手続の経緯・本願発明
　本願は、平成２年１０月１３日の出願であって、その請求項１に係る発明は、平成８年８月３０日付け手続補正書により補正された明細書における特許請求の範囲の請求項１に記載された事項により特定されたとおりの次のものと認める。以下、これを本願発明という。
「複写枚数表示と複写倍率表示とを兼ねた表示器と、表示モードを切り替えるための表示モード切り替えキーと、表示モード切り替えキーによるキー入力に基づいて表示モードを切り替える表示モード制御手段とを備えた画像形成装置において、
　複写枚数および複写倍率を入力するための第１入力キーおよび第２入力キー、表示クリアキー、
　表示モードが複写枚数表示モードである場合において、第１入力キーによって入力された値を、複写枚数の１０の位の設定値として表示器に表示させ、表示モードが複写枚数表示モードである場合において、第２入力キーによって入力された値を、複写枚数の１の位の設定値として表示器に表示させる第１の表示制御手段、
　表示モードか複写倍率表示モードである場合において、第１入力キーが操作されたときには、表示器に表示されている複写倍率の設定値を、上昇および下降のうち、いずれか一方の方向に変化させるとともに、表示モードが複写倍率表示モードである場合において、第２入力キーが操作されたときには、表示器に表示されている複写倍率の設定値を、上昇および下降のうち、第１入力キーが操作されたときと反対の方向に変化させる第２の表示制御手段、ならびに
　表示クリアキーによるキー入力があったときに、複写枚数表示モードおよび複写倍率表示モードのうち、現在設定されている表示モードによる表示内容のみをクリアする表示クリア制御手段、
　を備えていることを特徴とする画像形成装置。」
２．当審の拒絶理由
　一方、当審において平成１１年５月１７日付けで通知した拒絶の理由の概要は、本願発明は、その出願前に頒布された、特開平１−２０６３６３号公報（以下、引用例１という。）、特開平２−２３０１６８号公報（以下、引用例２という。）、特開昭５９−２２３０６７号公報に記載された発明に基づいて、その出願前にその発明の属する技術の分野における通常の知識を有する者が、容易に発明をすることができたものと認められるから、特許法第２９条第２項の規定により特許を受けることができない、というものである。
３．引用例
（１）引用例１：特開平１−２０６３６３号公報
　上記引用例１には、
「第２図は、上記複写機１の操作パネル５０の一部を示す平面図である。この操作パネル５０は、表示パネル部１００と、キースイッチ部２００とから形成される。表示パネル部１００には、３桁の数値を表示するための数値表示部１０１と、…（中略）…が配設されている。…（中略）…。この数値表示部１０１は、複写枚数と複写倍率を切換えて表示するもので、複写倍率の表示には、３桁の全てを、複写枚数の表示には、下２桁を使用する。」（第３頁左上欄第１９行〜同頁右上欄第１２行）、
「スイッチ部２００には、右側からプリントスタートさせるコピーキーＳＷ２０１と、複写枚数の置数をクリアし、連続コピーの途中でコピー動作をストップさせるためのクリア／ストップキーＳＷ２０２、複写枚数あるいは、複写倍率の置数をアップ又はダウンさせるためのアップキーＳＷ２０３、ダウンキーＳＷ２０４、複写枚数表示から複写倍率表示に切換えるための複写倍率表示キーＳＷ２０５、…（中略）…が配設されている。」（第３頁左下欄第６〜１７行）、
「第３図は、上記複写機１を制御する制御回路の入出力構成を示す。この制御回路は、ＣＰＵ４００を主体として構成される。ＣＰＵ４００には、操作パネル５０上のスイッチ等を縦横に配列したスイッチマトリクス４０１、複写機の操作パネル１００の数値表示部１０１及び表示ＬＥＤ１０４等の点灯回路がデコーダ４０２を介して接続されている。」（第３頁右下欄第３〜１０行）、
「第４図は、上記ＣＰＵ４００のメインルーチンを示すフローチャートである。…（中略）…。
　第５図は、キー入力処理ルーチンの詳細を示すフローチャートである。第５図に示すように、まず、カラーキーＳＷ２０６のオンエッジがあるか否かを判断して（ステップＳ１００）、オンエッジがあるときは、３桁の数値表示部１０１に複写倍率を表示する複写倍率表示モードをリセットする（ステップＳ１０２）。
　…（中略）…
　次に、複写倍率キーＳＷ２０５のオフエッジがあるか否かを判定し（ステップＳ１１６）、複写倍率キーＳＷ２０５のオフエッジがあると複写倍率表示モードをセットして（ステップＳ１１８）、現在設定されている複写倍率を数値表示部１０１に表示する。又、複写倍率表示モードが維持される時間を規定するタイマをセットし（ステップＳ１２０）、その後、他のキー処理を行なう（ステップＳ１２４）。
　…（中略）…
　第６図は、表示データセットルーチンの詳細を示すフローチャートである。…（中略）…。
　複写倍率モードでないときには、ステップ２０４において、カラーモードであるか否かを判定し、カラーモードの場合には、数値表示部の先頭桁のＬＥＤ１０１ａをフル点灯する（ステップＳ２０６）。
　…（中略）…。
　又、数値表示部１０１の下２桁において、置数された複写枚数を表示する（ステップＳ２１８）。」（第３頁右下欄第２０行〜第５頁右上欄第５行）との記載があると共に、その記載に対応する図面が示されている。
　以上の記載内容から明らかなように、上記刊行物１には、
「複写枚数と複写倍率を切換えて表示する数値表示部１０１と、複写枚数表示から複写倍率表示に切換えるための複写倍率表示キーＳＷ２０５と、複写倍率キーＳＷ２０５のオフエッジがあるか否かを判定し、複写倍率キーＳＷ２０５のオフエッジがあると複写倍率表示モードをセットし、複写倍率モードでないときには、複写枚数を表示する制御を行うＣＰＵ４００とを備えた複写機において、
　複写枚数あるいは、複写倍率の置数をアップ又はダウンさせるためのアップキーＳＷ２０３及びダウンキーＳＷ２０４、複写枚数の置数をクリアし、連続コピーの途中でコピー動作をストップさせるためのクリア／ストップキーＳＷ２０２を備えたもの」が記載されている。
（２）引用例２：特開平２−２３０１６８号公報
　上記引用例２には、
「本発明に係る複写機等の表示装置は、第３図の如く、操作部２１に、２桁の桁部２２，２３が配列された符号表示部２４と、夫々の行桁毎に設けられたカウントアップキー２５，２６と、クリアキー２７と、コピーボタン２８とを備えている。
　桁部２２，２３のうち最下位桁部２３である１桁部２３では、カウントアップキー２６の入力信号毎に第２図の如く、［０］から［９］までの数字を順次更新させるサイクルを繰返す。また、最下位桁部２３では、電源のオン時およびクリアキー２７のオン時に［０］表示を行う。
　桁部２２，２３のうち最上位桁部である２桁部２２では、電源オン時またはクリアキー２７のオン時に第１図のＡで示す如く、ブランク表示Ａを行う。
　この桁部２２，２３の制御は、第４図の如く、入力されたキー２５〜２８をマイコン３０にて判断し、桁部２２，２３に対して出力を行う。
　すなわち、マイコン３０は、最下位桁部２３に対して電源のオンで［０］表示を行う初期制御手段と、カウントアップキー２６の信号入力毎に［０］から［９］までの数字を順次更新して表示する信号を出力する最下位桁数更新手段と、最上位桁部用のカウントアップキー２５の入力信号毎に前記最上位桁部２２に［１］から［９］までの数字を順次更新して表示するサイクルを繰返す最上位桁数更新手段と、電源のオン時またはクリアキー２７のオン時に最下位桁部２３以外の桁部２２にブランク表示（無表示）を行うブランク手段とを有せしめられている。これらの機能は、マイコン３０内のＲＯＭ，ＲＡＭおよびＣＰＵで達成される。」（第２頁右上欄第１５行〜同頁左下欄第４行）、
「本発明は、上記実施例の如く、複写機の表示装置に限らず、レーザプリンタ等にも利用できる。
　…（中略）…。
　また、符号表示部２４は枚数に限らず、他の符号を表示するものであってもよい。」（第３頁右上欄第１３行〜同頁左下欄第１行）との記載がある。
（３）引用例３：特開昭５９−２２３０６７号公報
　上記引用例３には、
「１０３は所望のコピー枚数セット表示及び途中コピー枚数表示また倍率表示のための表示器、…（中略）…、１０９は０〜９のテンキー、１１０はテンキーから入力したデータのデータクリアと、表示器２０２に表示されるメッセージのメッセージクリアのためのクリアキー、…（中略）…、１１４は濃度調整と倍率設定に用いられるＵＰ／ＤＯＷＮキー」（第４頁右上欄第１８行〜同頁左下欄第１６）、
「表示１０３には１１−ａの様に″１″が表示され、…（中略）…、コピー枚数として１枚が設定されていることを示している。ここで指定変倍モードファンクションキー３０２ｆを押すと…（中略）…、１１−ｂのように表示１０３には″１００″が表示され、…（中略）…標準倍率１００％を表示する。
　この状態で、例えばテンキーから″１２３″と入力すると、１１−ｃのように表示１０３には″１２３″が表示される。ここでデータクリアキー１１０を押すと表示１０３は再び１１−ｂのように１００％を表示する。」（第７頁左下欄第１７行〜同右下欄第９行）、
「次に前記第１２図のステップ４１について詳述する。ステップ４１において指定フラグが１の場合のフローチャートを第１３図に示す。ステップ５０において、キー入力の判定を行う。本フローチャートにおいては、枚数表示と倍率表示を同様に示している。ステップ５１において、表示器１０３の表示内容を判定する。ステップ５２において、倍率表示、枚数表示に応じ入力値を表示器１０３に表示する。ステップ５３はＵＰ／ＤＯＷＮキーによって設定された倍率を、…（中略）…を示している。ステップ５４では、クリアキーがＯＮされたことにより、枚数、倍率に応じて標準モードに復帰したことを示している。」（第９頁右下欄第１１行〜第１０頁左上欄第７行）との記載があり、その記載に対応した図面が示されている。
　上記の記載内容から明らかなように、また、第１３図において、「クリアキーＯＮか？」の判断が「Ｙ」の後に、「１０３表示判定」の判断がなされ、「倍率表示」の場合は「１０３に″１００″％表示」の処理のみを行い、「枚数表示」の場合は「１０３に″１″枚表示」の処理のみを行うことが示されていることからも明らかなように、上記引用例３に記載のものでは、「クリアキーがＯＮの場合に、枚数表示および倍率表示のうち、現在設定されている表示による表示内容のみをクリアする制御手段」が備えられているといえる。
４．対比
　本願発明と上記引用例１に記載のものとを対比する。
　上記引用例１における「複写枚数と複写倍率を切換えて表示する数値表示部１０１」，「複写枚数表示から複写倍率表示に切換えるための複写倍率表示キーＳＷ２０５」，「複写倍率キーＳＷ２０５のオフエッジがあるか否かを判定し、複写倍率キーＳＷ２０５のオフエッジがあると複写倍率表示モードをセットし、複写倍率モードでないときには、複写枚数を表示する制御を行うＣＰＵ４００」，「複写機」，「複写枚数あるいは、複写倍率の置数をアップ又はダウンさせるためのアップキーＳＷ２０３及びダウンキーＳＷ２０４」，「クリア／ストップキーＳＷ２０２」は、それぞれ、
　本願発明における「複写枚数表示と複写倍率表示とを兼ねた表示器」，「表示モードを切り替えるための表示モード切り替えキー」，「表示モード切り替えキーによるキー入力に基づいて表示モードを切り替える表示モード制御手段」，「画像形成装置」，「複写枚数および複写倍率を入力するための第１入力キーおよび第２入力キー」，「表示クリアキー」に相当することは明らかである。
　また、上記引用例１に記載のものは、「ＣＰＵ４００」で上記「アップキーＳＷ２０３及びダウンキーＳＷ２０４」が制御されているから、「表示モードが複写倍率表示モードである場合において、第１入力キーが操作されたときには、表示器に表示されている複写倍率の設定値を、上昇および下降のうち、いずれか一方の方向に変化させるとともに、表示モードが複写倍率表示モードである場合において、第２入力キーが操作されたときには、表示器に表示されている複写倍率の設定値を、上昇および下降のうち、第１入力キーが操作されたときと反対の方向に変化させる」表示制御手段を備えているといえる。
　してみると、本願発明と上記引用例１に記載のものとは、
「複写枚数表示と複写倍率表示とを兼ねた表示器と、表示モードを切り替えるための表示モード切り替えキーと、表示モード切り替えキーによるキー入力に基づいて表示モードを切り替える表示モード制御手段とを備えた画像形成装置において、
　複写枚数および複写倍率を入力するための第１入力キーおよび第２入力キー、表示クリアキー、
　表示モードが複写倍率表示モードである場合において、第１入力キーが操作されたときには、表示器に表示されている複写倍率の設定値を、上昇および下降のうち、いずれか一方の方向に変化させるとともに、表示モードが複写倍率表示モードである場合において、第２入力キーが操作されたときには、表示器に表示されている複写倍率の設定値を、上昇および下降のうち、第１入力キーが操作されたときと反対の方向に変化させる表示制御手段、を備えている画像形成装置」である点で一致しており、以下の点で相違している。
　相違点１：本願発明が「表示モードが複写枚数表示モードである場合において、第１入力キーによって入力された値を、複写枚数の１０の位の設定値として表示器に表示させ、表示モードが複写枚数表示モードである場合において、第２入力キーによって入力された値を、複写枚数の１の位の設定値として表示器に表示させる」別の表示制御手段を備えるのに対して、上記引用例１に記載のものでは、表示モードが「複写枚数表示モード」である場合でも「複写倍率表示モード」における表示制御と同様の制御を行う点。
　相違点２：本願発明が「表示クリアキーによるキー入力があったときに、複写枚数表示モードおよび複写倍率表示モードのうち、現在設定されている表示モードによる表示内容のみをクリアする表示クリア制御手段」を備えるのに対して、上記引用例１に記載のものでは、この制御手段が示されていない点。
５．当審の判断
　上記相違点について検討する。
　上記相違点１について；
　上記引用例２の記載内容から明らかなように、複写枚数を表示器に表示させる表示制御において、「第１入力キーによって入力された値を、複写枚数の１０の位の設定値として表示器に表示させ、表示モードが複写枚数表示モードである場合において、第２入力キーによって入力された値を、複写枚数の１の位の設定値として表示器に表示させる表示制御」を行うことは、本願発明或いは引用例１に記載されるような画像形成装置の表示制御において公知の事項である。
　また、画像形成装置の表示制御において、単一の表示器を複数の表示モードで兼用する場合に、各表示モードに別個の表示制御手段を設けて誤設定を回避すること自体は、常套手段である（例えば、特開昭６２−２００３６７号公報，特開昭６２−２４６０７７号公報等参照）。
　してみると、「複写枚数表示モード」と「複写倍率表示モード」とで、表示器と入力キーとを共に兼用させた上記引用例１に記載のものにおいて、表示制御手段を各表示モード毎に設け、その「複写枚数表示モード」における表示制御手段に上記引用例２に記載された公知の手段を採用することは、画像形成装置の表示制御に係る公知或いは常套手段を単に寄せ集めたという程度のことであって、その寄せ集めに格別困難性は見出せない。そして、平成１１年７月２３日付けの意見書で請求人が主張する本願発明の技術的意義（単一表示器で複数表示モードの設定を行う場合の誤設定の回避）についても、当該技術分野の公知或いは常套手段の寄せ集めから当業者が普通に予測可能な事項であって、格別な事項とはいえない。
　上記相違点２について；
　上記引用例３の記載内容から明らかなように、複写枚数表示と複写倍率表示とを兼ねた表示器と、表示モードを切り替えるための表示モード切り替えキーと、表示モード切り替えキーによるキー入力に基づいて表示モードを切り替える表示モード制御手段とを備えた画像形成装置において、表示クリアキーによるキー入力があったときに、複写枚数表示モードおよび複写倍率表示モードのうち、現在設定されている表示モードによる表示内容のみをクリアする表示クリア制御手段を設けることは公知の事項である。そして、上記引用例１に記載のものに、この同一技術分野における公知事項を付加することに格別困難性は見出せない。
　したがって、本願発明は、上記引用例１〜３に記載の事項及び当該技術分野の常套手段に基づいて当業者が容易に発明をすることができたものであって、特許法第２９条第２項の規定により特許を受けることができない。
６．むすび
　以上のとおり、本願は、当審で通知した上記拒絶の理由によって拒絶をすべきものである。
　よって、結論のとおり決定する。